(57)【要約】【課題】組立便宜性を向上させると共に、マクロ駆動によって発生し得る異物がレンズ部位に接近しないようにマクロ駆動部を鏡筒の外部に設け、レンズの同心度および焦点の調節が良好な携帯端末機用レンズ組立体を提供する。【解決手段】本発明に係るマクロ機能付き携帯端末機用レンズ組立体は、レンズが設置される鏡筒１２０と、前記鏡筒の下端を収容するホルダー１５０と、前記鏡筒を回転させるべく前記鏡筒の外周に結合され、その上端に、周縁に沿って傾いたガイド傾斜面１３０ｂが形成されたマクロ駆動部１３０と、前記ホルダーと前記マクロ駆動部との間に介在され、前記マクロ駆動部を上方に付勢する弾性手段１４０と、前記マクロ駆動部の上方に位置し、前記マクロ駆動部のガイド傾斜面を下方に押圧するガイド突起１１０ｂが形成されたカバー１１０とを備えている。【選択図】図３
2006338026.tif 000002
【特許請求の範囲】
【請求項１】
マクロ機能付き携帯端末機用レンズ組立体であって、
レンズが設置される鏡筒と、
前記鏡筒の下端を収容するホルダーと、
前記鏡筒を回転させるべく前記鏡筒の外周に結合され、その上端に、周縁に沿って傾いたガイド傾斜面が形成されたマクロ駆動部と、
前記ホルダーと前記マクロ駆動部との間に介在され、前記マクロ駆動部を上方に付勢する弾性手段と、
前記マクロ駆動部の上方に位置し、前記マクロ駆動部のガイド傾斜面を下方に押圧するガイド突起が形成されたカバーとを含むことを特徴とする、携帯端末機用レンズ組立体。
【請求項２】
前記弾性手段は、前記ホルダーに収容される鏡筒の外部に沿って配置される、一体に連結された板スプリングであることを特徴とする、請求項１に記載の携帯端末機用レンズ組立体。
【請求項３】
前記マクロ駆動部には前記ガイド傾斜面が複数形成され、前記カバーには前記ガイド突起が前記ガイド傾斜面の個数に対応して複数形成されることを特徴とする、請求項２に記載の携帯端末機用レンズ組立体。
【請求項４】
前記マクロ駆動部の内周および前記鏡筒の外周には、前記マクロ駆動部を前記鏡筒に結合させるためのねじ山およびねじ溝が形成されることを特徴とする、請求項１〜３のいずれか１項に記載の携帯端末機用レンズ組立体。
【請求項５】
前記マクロ駆動部には操作レバーが外側に突設されることを特徴とする、請求項１〜３のいずれか１項に記載の携帯端末機用レンズ組立体。
【請求項６】
前記ホルダーには前記鏡筒の下端を収容する貫通孔が設けられ、該貫通孔の下端にはイメージセンサが取り付けられることを特徴とする、請求項１〜３のいずれか１項に記載の携帯端末機用レンズ組立体。
【請求項７】
前記カバーの側面には前記ホルダーを向かって延びる脚が形成され、前記脚が前記ホルダーにフック結合されることを特徴とする、請求項１〜３のいずれか１項に記載の携帯端末機用レンズ組立体。
【発明の詳細な説明】
【技術分野】
【０００１】
本発明は、携帯端末機用レンズ組立体に係り、より具体的には、マクロ機能付き携帯端末機用レンズ組立体に関する。
【背景技術】
【０００２】
最近、携帯端末機は、固有の音声通話機能の他にも、無線インターネットやマルチメディア再生などの様々な付加機能を提供している。また、静止画像または動画像の撮影が可能であるような小型のカメラモジュールが取り付けられているモデルが多数市販されている。そのような携帯端末機を「カメラ付き携帯電話」と称する。
【０００３】
ところが、このような携帯端末機、すなわちカメラ付き携帯電話に搭載される従来のレンズ組立体は、設置空間の制約などのためズーム機能やマクロ（接写）機能などを完璧に実現することができなかった。そのため、通常は、無限大に位置した被写体の像がレンズを通過してイメージセンサ、例えばＣＣＤ、ＣＩＳ（CMOS Image Sensor）に結像するように設定されており（これを「無限大焦点」という）、レンズと撮影素子間の離隔距離を制限された範囲内で調節することによってマクロ機能を実現している。
【０００４】
このような従来の技術の一例として、特許文献１（発明名称「移動通信端末機に備えられたカメラの光学的なズーム構造」、２００５年１月２１日公開）に開示されたレンズ組立体を図１に示す。
【０００５】
図１を参照して動作を説明すると、レバー３０を右に回転させると、レバー３０の内周面に形成された雌ねじ３２が右に回転し、雌ねじ３２に螺合されたズームレンズハウジング４２が後方に移動する。これにより、前記ズームレンズハウジング４２に備えられたズームレンズ４４はレンズ２０に密着する。逆に、レバー３０を左に回転させると、レバー３０の内周面に形成された雌ねじ３２が左に回転し、これによりズームレンズハウジング４２が前方に移動してズームレンズ４４がレンズ２０と所定の距離だけ離隔する。
【０００６】
このように、図１のレンズ組立体は、ズームレンズ部４０に螺合されるレバーハンドル３４でズームレンズ４４を前方または後方に移動させることによってレンズ２０の離隔距離を調節し、遠距離撮影またはマクロ撮影を行うように構成されている。
【０００７】
このような携帯端末機用レンズ組立体は、レバーを１回転させたときのズームレンズの移動距離は僅かねじ山の１ピッチ（pitch）に過ぎないため、レバーの回転量に比べてズームレンズの移動距離が微々たるものであり、これによりマクロ撮影のための焦点距離を確保することができないという問題点がある。
【０００８】
従来の技術の別の例である特許文献２（発明名称「小型携帯端末機用カメラ装置」、２００５年１月６日公開）には、レンズ群の外径に沿って突出したピンを第２鏡筒の外周面のテーパー溝に沿ってスライド可能に挿入し、第２鏡筒のテーパー溝に沿って延長された前記ピンをさらに第１鏡筒の垂直スライド溝に係合することにより、第２鏡筒の回転によってレンズ群が第１鏡筒のスライド溝に沿って光軸方向に垂直移動し得るように構成されたレンズ組立体が開示されている。
【０００９】
ところが、このようなレンズ組立体は、第１鏡筒の外周面にテーパー溝が形成されるため、レンズ群から突出したピンを第１鏡筒のテーパー溝に係合することが容易でない上に、レンズ群を垂直に整列する第１鏡筒とマクロ機能を行う第２鏡筒が別途に製作されるため、レンズ群の同心度および位置合わせが難しく、組立後、レンズの焦点を調節することが非常に困難である。しかも、焦点調節のために回転する第１鏡筒がレンズ群と直接に隣接するため、第１鏡筒のテーパー溝とレンズ群の突出ピンとの間の摩擦に起因して発生した異物によって鏡筒の内部またはレンズ面が汚染されるという問題点がある。
【００１０】
このように、従来の携帯端末機用レンズ組立体は、マクロ機能のための焦点距離を確保することができなかった。また、その問題を解決するために提案された従来の組立体の場合には、その構造が非常に複雑で、組立が不便であり、レンズの同心度および焦点を調節することが容易でなかった。
【００１１】
【特許文献１】韓国特許公開第２００５−７６８０号明細書
【００１２】
【特許文献２】韓国特許公開第２００５−６６３号明細書
【発明の開示】
【発明が解決しようとする課題】
【００１３】
そこで、本発明はこのような問題点に鑑みてなされたもので、その目的とするところは、組立便宜性を向上させると共に、マクロ駆動によって発生し得る異物がレンズ部位に接近しないようにマクロ駆動部を鏡筒の外部に設け、レンズの同心度および焦点の調節が良好な携帯端末機用レンズ組立体を提供することにある。
【課題を解決するための手段】
【００１４】
上記課題を解決するために、本発明は、マクロ機能付きの携帯端末機用レンズ組立体であって、レンズが設置される鏡筒と、前記鏡筒の下端を収容するホルダーと、前記鏡筒を回転させるべく前記鏡筒の外周に結合され、その上端に、周縁に沿って傾いたガイド傾斜面が形成されたマクロ駆動部と、前記ホルダーと前記マクロ駆動部との間に介在され、前記マクロ駆動部を上方に付勢する弾性手段と、前記マクロ駆動部の上方に位置し、前記マクロ駆動部のガイド傾斜面を下方に押圧するガイド突起が形成されたカバーとを含むことを特徴とする、携帯端末機用レンズ組立体を提供する。
【００１５】
前記弾性手段は、前記ホルダーに収容される鏡筒の外部に沿って配置される、一体に連結された板スプリングであることが好ましい。
【００１６】
また、前記マクロ駆動部には前記ガイド傾斜面が複数形成され、前記カバーには前記ガイド突起が前記ガイド傾斜面の個数に対応して複数形成されることが好ましい。
【００１７】
また、前記マクロ駆動部の内周および前記鏡筒の外周には、前記マクロ駆動部を前記鏡筒に結合させるためのねじ山およびねじ溝が形成されることが好ましい。
【発明の効果】
【００１８】
本発明によれば、ホルダーの上部に、板スプリングと、鏡筒が結合したマクロ駆動部とが設置された状態でカバーを取り付けると組立が完了するため、組立が非常に簡単であり、これにより組立にかかる時間およびコストを相当節減することができる。
【００１９】
また、本発明によれば、組立が完了した状態で、焦点距離を調節することができる上に、複数のレンズが１つの鏡筒に設置され、鏡筒とマクロ駆動部が一体に結合されるため、同心および位置合わせに非常に有利である。しかも、マクロ駆動部が鏡筒の外部に取り付けられるので、マクロ駆動によって鏡筒の内部に異物が発生することを根本的に防止することができる。
【発明を実施するための最良の形態】
【００２０】
以下に添付図面を参照しながら、本発明の好適な実施例について詳細に説明する。なお、本明細書及び図面において、実質的に同一の機能構成を有する構成要素については、同一の符号を付する。
【００２１】
図２は本発明の好適な実施例に係る携帯端末機用レンズ組立体の斜視図、図３は本発明の好適な実施例に係る携帯端末機用レンズ組立体の分解図である。
【００２２】
図２および図３に示すように、本発明の好適な実施例に係る携帯端末機用レンズ組立体は、上側からカバー１１０、鏡筒１２０、マクロ駆動部１３０、板スプリング１４０およびホルダー１５０で構成されている。
【００２３】
長方形のカバー１１０は、マクロ駆動部１３０の上方に位置し、被写体から入射する像が鏡筒の内部に進むことができるように、中央に鏡筒１２０の上面を露出させる開口部１１０ａが形成されている。開口部１１０ａの周りには、マクロ駆動部１３０を下方に圧迫するための４つのガイド突起１１０ｂが一定の間隔で形成されている。
【００２４】
カバー１１０の各角部の側面には、ホルダー１５０に向かって延びる脚１１０ｃが形成されており、各脚には、フック結合のための係合孔１１０ｄが形成されている。
【００２５】
鏡筒１２０は、内部に少なくとも１つのレンズが設置されており、その外側壁にはマクロ駆動部１３０と結合できるようにねじ山１２０ａが形成されている。
【００２６】
マクロ駆動部１３０の内側壁には、鏡筒１２０と結合できるようにねじ溝１３０ａが形成されている。マクロ駆動部１３０は、ねじ溝１３０ａと鏡筒１２０のねじ山１２０ａとの螺合によって、鏡筒１２０の外側壁の上端に固定締結される。マクロ駆動部１３０の突出した上端には、周縁に沿って傾いたガイド傾斜面が４つ形成されており、カバー１１０のガイド突起１１０ｂがガイド傾斜面１３０ｂ上に位置する。ガイド傾斜面１３０ｂは、その周縁方向の両端で垂直方向の高低差がある段差を形成しており、その両端の境界が緩やかな傾斜を成してガイド突起が傾斜面上で円滑にスライドできるように構成されている。このようなマクロ駆動部１３０の構造によれば、ガイド傾斜面１３０ｂの幅および／または傾斜度を調節することにより、操作レバー１３０ｃのストローク範囲を自由自在に定めることができる。
【００２７】
また、操作レバー１３０ｃを操作してマクロ駆動部１３０を回転させた際の節度感を出すべく、ガイド傾斜面１３０ｂを階段状に形成することも可能である。その場合、ガイド傾斜面１３０ｂの各段は平面状に形成されるが、節度感をさらに高めるために、各段にガイド突起１１０ｂが嵌合する凹部を形成したり、各段を周縁に沿って傾斜させたりすることもできる。
【００２８】
一方、マクロ駆動部１３０は、その上端から外側に延びる操作レバー１３０ｃがホルダー１１０の脚の間から突出しており、ユーザは操作レバー１３０ｃを操作してマクロ駆動部を回転させることができる。
【００２９】
板スプリング１４０は、マクロ駆動部１３０とホルダー１５０との間に介在されており、その上端がマクロ駆動部の外周と接触してマクロ駆動部を上方に付勢している。板スプリング１４０は、図示の如くウェーブ状に一体に連結された単一部材として製作することができる。組立の際は、ホルダー１５０の上部に板スプリング１４０を配置し、鏡筒１２０が結合したマクロ駆動部１３０を板スプリング１４０の内部に挿入する。
【００３０】
このような板スプリングは、厚さとは対照的に面積が広いため、通常のコイルスプリングに比べてより大きい張力を発揮することができる。そのため、ホルダーとマクロ駆動部との離隔距離が短くても、マクロ駆動部を効果的に弾性支持することができる。また、板スプリングは、従来のコイルスプリングに比べて厚さが薄いため、機構の大きさに対する制約を減らすことができるという付加的な利点がある。
【００３１】
正方形のホルダー１５０には鏡筒１２０の下端を収容する貫通孔１５０ａが形成されており、貫通孔１５０ａの下端には、貫通孔１５０ａを介して入射する被写体の像を撮影できるようにカメラモジュールのイメージセンサが取り付けられる。一方、貫通孔１５０ａの周囲には、鏡筒の上下移動範囲に応じて鏡筒の下端の外壁またはマクロ駆動部の外壁が外嵌される円筒形の隔壁１５０ｂが設けられており、この隔壁１５０ｂを上方に延長することによって貫通孔１５０ａ内への異物流入を防止することができる。
【００３２】
ホルダー１５０の角部の上端には、カバー１１０の係合孔１１０ｄと係合する係合突起１５０ｃが形成されている。したがって、ホルダー１５０の上部に、板スプリング１４０と、鏡筒１２０が結合したマクロ駆動部１３０とが設置された状態でカバー１１０を取り付けると、組立が完了する。
【００３３】
次に、上記した携帯端末機用レンズ組立体の動作について説明する。
【００３４】
通常モード（Normal Mode）で撮影する場合は、マクロ駆動部１３０の上端に設けられたガイド傾斜面１３０ｂの高点（一番高い部分）にカバー１１０のガイド突起１１０ｂが位置するように、操作レバー１３０ｃを時計方向に回転させる。このとき、カバー１１０のガイド突起１１０ｂはガイド傾斜面１３０ｂの高点を押圧し、マクロ駆動部１３０が板スプリング１４０によって上方に付勢される。この状態で、レンズの焦点距離および同心度を確認して調節することができる。例えば、組立が完了した状態で、操作レバー１３０ｃの位置を一般撮影と設定し、焦点距離を測定した後、マクロ駆動部１３０に螺合された鏡筒１２０の位置を回転調節して焦点距離を調整することができる。そして、螺合部位をボンディングすることにより、これを完全に固定させることができる。
【００３５】
マクロモード（Macro Mode）で撮影する場合は、前述したガイド傾斜面１３０ｂの低点（一番低い部分）にカバー１１０のガイド突起１１０ｂが位置するように、操作レバー１３０ｃを反時計方向に回転させる。このとき、マクロ駆動部１３０は板スプリング１４０によって上方に付勢され、ガイド傾斜面１３０ｂの低点と高点間の段差に対応する距離だけ鏡筒１１０が上方に移動する。これによりマクロ撮影の際にレンズとイメージセンサとの間に必要な焦点距離を確保することができる。
【００３６】
以上、添付図面を参照しながら本発明の好適な実施例について説明したが、これらの実施例は例示的なものに過ぎない。当該分野における通常の知識を有する者であれば、これらから変形例または均等なその他の実施例に想到し得ることは明らかである。よって、本発明の保護範囲は、特許請求の範囲によって定められるべきである。
【図面の簡単な説明】
【００３７】
【図１】従来の技術に係るレンズ組立体の例示図である。
【図２】本発明の好適な実施例に係る携帯端末機用レンズ組立体の斜視図である。
【図３】本発明の好適な実施例に係る携帯端末機用レンズ組立体の分解図である。
【符号の説明】
【００３８】
１１０      カバー
１１０ａ    開口部
１１０ｂ    ガイド突起
１１０ｃ    脚
１１０ｄ    係合孔
１２０      鏡筒
１２０ａ    ねじ山
１３０      マクロ駆動部
１３０ａ    ねじ溝
１３０ｂ    ガイド傾斜面
１３０ｃ    操作レバー
１４０      板スプリング
１５０      ホルダー
１５０ａ    貫通孔
１５０ｂ    隔壁
１５０ｃ    係合突起
【図１】
2006338026.tif 000003
【図３】
2006338026.tif 000004
【図２】
2006338026.tif 000005